(57)【要約】【課題】睡眠時クーラー節電方法及びその装置の提供。【解決手段】本発明の睡眠時クーラー節電方法は、ベッド２の上方にスクリーン布１でカバー１１を形成し、ベッド２の上方を囲んで小空間２１を形成する。さらに、分離式クーラー３の室内機３１を該小空間２１の上方に設置し、該小空間２１に小型冷気空間を形成させて、睡眠時に該小型冷気空間を利用して節電目的を達成する。【選択図】図１
2012057844.tif 000002
【特許請求の範囲】
【請求項１】
睡眠時クーラー節電方法において、ベッド（２）の上方にスクリーン布（１）でカバー（１１）を形成し、該カバー（１１）でベッド（２）の上方を囲んで小空間（２１）を形成し、さらに、分離式クーラー（３）の室内機（３１）を該小空間（２１）の上方に設置し、該小空間（２１）に小型冷気空間を形成させることを特徴とする、睡眠時クーラー節電方法。
【請求項２】
請求項１記載の睡眠時クーラー節電方法において、該スクリーン布（１）は通気性のない材質であることを特徴とする、睡眠時クーラー節電方法。
【請求項３】
請求項１記載の睡眠時クーラー節電方法において、該分離式クーラー（３）の規格は２０００ＢＴＵとされることを特徴とする、睡眠時クーラー節電方法。
【請求項４】
睡眠時クーラー節電装置において、該睡眠時クーラー節電方法はベッド（２）の上方で使用され、
分離式クーラー（３）であって、室外機（３２）に管路（３３）で接続された室内機（３１）を有する該分離式クーラー（３）と、
固定フレーム（４）であって、該ベッド（２）の上方に設置され、該固定フレーム（４）の下方に該室内機（３１）が設置され、該固定フレーム（４）は固定アーム（４１）を具え、該固定アーム（４１）により壁面（５１）に取り付けられる、該固定フレーム（４）と、
スクリーン布（１）とされ、該固定フレーム（４）の底部周縁に固定され並びに支持されてカバー（１１）を形成し、該スクリーン布（１）により、該ベッド（２）上方が囲まれて小空間（２１）が形成され、該小空間（２１）内部に小型冷気空間が形成される、該スクリーン布（１）と、
を包含したことを特徴とする、睡眠時クーラー節電装置。
【請求項５】
請求項４記載の睡眠時クーラー節電装置において、該スクリーン布（１）は通気性のない材質であることを特徴とする、睡眠時クーラー節電装置。
【請求項６】
請求項４記載の睡眠時クーラー節電装置において、該固定フレーム（４ａ）の底部周縁に軌道（４０ａ）が設けられ、並びにスクリーン布（１ａ）が固定されたことを特徴とする、睡眠時クーラー節電装置。
【請求項７】
請求項４記載の睡眠時クーラー節電装置において、該分離式クーラー（３）の規格は２０００ＢＴＵとされることを特徴とする、睡眠時クーラー節電装置。
【請求項８】
請求項４記載の睡眠時クーラー節電装置において、該固定フレーム（４ｂ）は軌道架体とされ、直接部屋（５）の天井（５２）に取り付けられたことを特徴とする、睡眠時クーラー節電装置。
【請求項９】
請求項４記載の睡眠時クーラー節電装置において、該固定フレーム（４ｃ）はベッド（２）周囲に設置されたフレーム体とされたことを特徴とする、睡眠時クーラー節電装置。
【発明の詳細な説明】
【技術分野】
【０００１】
本発明は睡眠時に使用するクーラーの節電方法及びその装置に関する。
【背景技術】
【０００２】
暑いとき、住居内を涼しい温度に保つために、エアコン（クーラー）はほぼ不可欠の電気製品である。特に台湾の夏と秋は十分に暑く、クーラーの電力使用量のピーク期であり、このため、電気代もかさむ。特に、ベッドルームが比較的大きい場合、クーラーを睡眠時に長時間運転すると、非常に電気を食い、これは節電が重視される時代にあって、理想的な状態でない。例えば、台湾でクーラーを使用する場合を例にとると、１００００ＢＴＵのクーラーを使用すると、一時間あたり１キロワットの電力を消耗し、５坪で１００００ＢＴＵのクーラーを使用し、毎日の睡眠時に８．５時間運転するとして、毎月の電力消費電力は２５５キロワットで、毎回の電気代の平均は、３．７５台湾元で、すなわち毎月の電気代は９４３．５台湾元となり、台湾では毎年７．５カ月、クーラーが必要となるため、必要な電気代は、７０７６．２５台湾元となる。これは普通のクーラーの場合を計算したものであるが、坪数がこれより大きくなると、さらに大きなクーラーを使用するか、同時に複数のクーラーを使用するため、その消費電力量と電気代は大きくなる。
【発明の概要】
【発明が解決しようとする課題】
【０００３】
睡眠時にクーラーの使用電力量を減らすためには、睡眠時に使用する良好なクーラー節電方法及びその装置を創造して、これにより、上述のクーラーの消費電力によりもたらされる多くの問題を解決することが必要である。
【課題を解決するための手段】
【０００４】
本発明は、ベッド上方にスクリーン布で形成したカバーを設置し、ベッド上方を囲んで小空間を形成し、さらに、分離式クーラーの室内機を該小空間の上方に設置し、該小空間に小型冷気空間を形成させ、一般にベッドの大きさは一坪程度であることから、該小型冷気空間は僅かに２０００ＢＴＵの分離式クーラーで十分であり、さらに節電できる。もし、該２０００ＢＴＵのクーラーを毎日８．５時間運転すると、毎月の節電量は約５０キロワットであり、毎回電気代は約３．７５台湾元であり、すなわち、毎月の支出は約１８７．５台湾元となり、台湾では平均して毎年７．５カ月クーラーが必要であり、必要な電気代は１４０６．３台湾元であり、１００００ＢＴＵのクーラーを５坪の空間に使用した場合の７０７６．２５台湾元と比較すると、確実にお金を節約でき節電でき、非常に節電の目的に符合する。
【０００５】
本発明は睡眠時クーラー節電方法及びその装置を提供し、それは睡眠時にベッド上方に小型冷気空間を形成し、冷気を該小型冷気空間で使用することで、節電を達成する方法及び装置である。
【発明の効果】
【０００６】
上述の睡眠時クーラー節電方法及びその装置は、確実に以下に記載の長所を有する。
１．本発明はベッド上方に小型冷気空間を形成することにより、冷気に該小型冷気空間内で、短時間内に急速に必要な設定温度を達成させ、節電と節約の目的を達成する。
２．本発明の小型冷気空間はさらに小型のクーラーを使用するだけでよく、節電と電気代節約の目的を達成する。
【図面の簡単な説明】
【０００７】
【図１】本発明の実施例１の配置を示す立体図である。
【図２】図１の平面図である。
【図３】図１の右側面図である。
【図４】本発明の実施例２の配置を示す正面図である。
【図５】図４の右側面図である。
【図６】本発明の実施例３の配置を示す立体図である。
【図７】本発明の実施例４の配置を示す立体図である。
【発明を実施するための形態】
【０００８】
図１と図２に示されるように、本発明の睡眠時クーラー節電方法は、ベッド２の上方にスクリーン布１でカバー１１を形成し、ベッド２の上方を囲んで小空間２１を形成する。さらに、分離式クーラー３の室内機３１を該小空間２１の上方に設置し、該小空間２１に小型冷気空間を形成させて、冷気に完全に小型冷気空間内にあって、短時間内で必要な設定温度を達成させる。
【０００９】
本発明の節電装置は、実施例１において、図１及び図２、３に示されるように、一般のベッドのベッド２の約一坪程度の小型冷気空間中にあって、僅かに２０００ＢＴＵの分離式クーラー３を使用する。
【００１０】
この節電装置は、
分離式クーラー３であって、室外機３２に管路３３で接続された室内機３１を有する該分離式クーラー３と、
固定フレーム４であって、ベッド２の上方に設置され、該固定フレーム４の下方に該室内機３１が設置され、該固定フレーム４は固定アーム４１を具え、該固定アーム４１により部屋５の壁面５１に取り付けられる、該固定フレーム４と、
スクリーン布１とされ、通気性のないスクリーン布とされるのがよく、該固定フレーム４の底部周縁に固定され並びに支持されてカバー１１を形成し、該スクリーン布１により、該ベッド２上方が囲まれて小空間２１が形成され、該小空間内部に小型冷気空間が形成され、冷気に該小型冷気空間内で、短時間内に急速に必要な設定温度を達成させ、節電と節約の目的を達成する、該スクリーン布１と、
を包含する。
【００１１】
上述の固定フレーム４の底部にはスクリーン布１が接続並びに支持され、通気性のないスクリーン布１を使用しない時、図３のように、該スクリーン布１は両側に開かれ並びにベッド２のヘッドボード２２の後方に収容される。
【００１２】
また、本発明の節電装置の実施例２は、図４に示されるように、固定フレーム４ａの底部周縁に軌道４０ａが設置され、該軌道４０ａにスクリーン布１ａが設置されている。その取り付け方式は本発明の図１、２に示される固定フレーム４と同じであるが、スクリーン布１ａを不使用の時は、図５に示されるように、スクリーン布１ａが軌道４０ａに沿って両側に開かれ並びにベッド２のヘッドボード２２の後方に置かれる。
【００１３】
図６を参照されたい。本発明の節電装置の実施例３は、該固定フレーム４ｂが軌道架体とされて、ベッド２の上方においてベッドの範囲を囲むように部屋５の天井５２に取り付けられ、固定フレーム４ｂの底部にスクリーン布１ｂが設置され、該スクリーン布１ｂによりベッド２及びその上方が囲まれて小空間２１が形成されて、分離式クーラー３の室内機３１が室外機に管路３３を介して接続され並びに小空間２１の上方或いは部屋の壁面に設置され、固定フレーム４ｂの軌道を利用し、該スクリーン布１ｂが軌道に沿って閉じ合わされるか或いは開放され、並びに該スクリーン布１ｂによりベッド２及びその上方の小空間２１がカバーされ、小空間２１内部に小型冷気空間が形成され、冷気に該小型冷気空間内で、短時間内に急速に必要な設定温度を達成させ、節電と節約の目的を達成する。
【００１４】
さらに図７に示されるように、本発明の節電装置の実施例４は、該固定フレーム４ｃがベッド２の四周のフレーム体を囲み、並びに固定フレーム４ｃ外周にスクリーン布１ｃが増設され、該スクリーン布１ｃを利用してベッド２及びその上方が囲まれて小空間２１が形成され、分離式クーラー３の室内機３１が室外機に管路３３を通して接続され並びに小空間２１の上方或いは部屋の壁面に設置され、固定フレーム４ｃのフレーム外周のスクリーン布１ｃを利用し、ベッド２及びその上方の小空間２１がカバーされ、スクリーン布１ｃ内部に小型冷気空間が形成され、冷気に該小型冷気空間内で、短時間内に急速に必要な設定温度を達成させ、節電と節約の目的を達成する。
【符号の説明】
【００１５】
１  スクリーン布
１１  カバー
２  ベッド
２１  小空間
３  分離式クーラー
３１  室内機
３２  室外機
３３  管路
４  固定フレーム
４１  固定アーム
５  部屋
５１  壁面
２２  ヘッドボード
４ａ  固定フレーム
４０ａ  軌道
１ａ  スクリーン布
４ｂ  固定フレーム
５２  天井
１ｂ  スクリーン布
４ｃ  固定フレーム
１ｃ  スクリーン布
【図１】
2012057844.tif 000003
【図２】
2012057844.tif 000004
【図３】
2012057844.tif 000005
【図４】
2012057844.tif 000006
【図５】
2012057844.tif 000007
【図６】
2012057844.tif 000008
【図７】
2012057844.tif 000009